(57)【要約】 【課題】  本発明は、確保可能な帯域幅が変動し易い場合であっても、テレビ電話を用いて相手端末と通信を行うことができる機会を向上させることを可能とする無線通信端末及び通信方法を提供することを目的とする。【解決手段】  本発明に関わる無線通信端末は、伝送路の伝送品質を検出する検出部において、自端末側音声データと自端末側映像データとを相手端末に送信する伝送路の伝送品質が、前記自端末側音声データと前記自端末側映像データの両方を送信することが不可能で、かつ前記自端末側音声データのみならば送信可能である伝送品質レベルとして検出された場合、前記自端末側音声データのみの前記相手端末への送信を実行することを特徴とする。【選択図】      図１
2007295517.tif 000002
【特許請求の範囲】
【請求項１】
音声を取得する音声取得部と、
被写体を撮像する撮像部と、
音声を出力する音声出力部と、
映像を表示する表示部と、
前記音声取得部により取得された自端末側音声データと、前記撮像部により撮像された自端末側映像データとを相手端末へ送信する一方、前記相手端末から受信した相手端末側音声データに基づく音声を前記音声出力部より出力させるとともに、前記相手端末から受信した相手端末側映像データに基づく映像を前記表示部に表示させるテレビ電話機能部と、
伝送路の伝送品質を検出する検出部とを有し、
前記テレビ電話機能部は、前記テレビ電話を開始する際に、前記検出部において前記自端末側音声データと前記自端末側映像データとを前記相手端末に送信する伝送路の伝送品質が、前記自端末側音声データと前記自端末側映像データの両方を送信することが不可能で、かつ前記自端末側音声データのみならば送信可能である伝送品質レベルとして検出された場合、前記自端末側音声データのみを前記相手端末へ送信する無線通信端末。
【請求項２】
前記検出部は、前記テレビ電話機能部によるテレビ電話が実行されている間、定期的に前記伝送路の伝送品質を検出し、
前記テレビ電話機能部は、前記検出部において前記自端末側音声データと前記自端末側映像データの両方を送信することが可能である伝送品質レベルが検出された場合、前記自端末側映像データの送信を開始する請求項１に記載の無線通信端末。
【請求項３】
前記表示部は、前記相手端末側映像データに基づく映像を表示するとともに、前記自端末側映像データに基づく映像を表示可能に構成され、
前記テレビ電話機能部は、前記テレビ電話を開始する際に、前記検出部が前記伝送品質レベルを検出した場合、前記表示部における前記自端末側映像データに基づく映像を非表示とする請求項１に記載の無線通信端末。
【請求項４】
前記テレビ電話機能部は、前記テレビ電話を開始する際に、前記検出部が前記伝送品質レベルを検出した場合、前記表示部における前記相手端末側映像データに基づく映像を非表示とする請求項３に記載の無線通信端末。
【請求項５】
前記検出部は、前記テレビ電話機能部によるテレビ電話が実行されている間、定期的に前記伝送路の伝送品質を検出し、
前記テレビ電話機能部は、前記検出部において前記自端末側音声データと前記自端末側映像データの両方を送信することが可能である伝送品質レベルが検出された場合、前記自端末側映像データに基づく映像を前記表示部に表示する請求項３に記載の無線通信端末。
【請求項６】
前記検出部は、前記テレビ電話機能部によるテレビ電話が実行されている間、定期的に前記伝送路の伝送品質を検出し、
前記テレビ電話機能部は、前記検出部において前記自端末側音声データと前記自端末側映像データの両方を送信することが可能である伝送品質レベルが検出された場合、前記相手端末側映像データに基づく映像を前記表示部に表示する請求項４に記載の無線通信端末。
【請求項７】
音声を取得する音声取得部と、
被写体を撮像する撮像部と、
音声を出力する音声出力部と、
映像を表示する表示部と、
前記音声取得部により取得された自端末側音声データと、前記撮像部により撮像された自端末側映像データとを相手端末へ送信する一方、前記相手端末から受信した相手端末側音声データに基づく音声を前記音声出力部より出力させるとともに、前記相手端末から受信した相手端末側映像データに基づく映像を前記表示部に表示させるテレビ電話機能部と、
伝送路の伝送品質を検出する検出部とを有し、
前記テレビ電話機能部は、前記テレビ電話を開始する際に、前記検出部において、前記相手端末側音声データと前記相手端末側映像データとを前記自端末で受信する伝送路の伝送品質が、前記相手端末側音声データと前記相手端末側映像データの両方を受信することが不可能で、かつ前記相手端末側音声データのみならば受信可能である伝送品質レベルとして検出された場合、前記自端末側音声データのみを前記相手端末へ送信する無線通信端末。
【請求項８】
前記検出部は、前記テレビ電話機能部によるテレビ電話が実行されている間、定期的に前記伝送路の伝送品質を検出し、
前記テレビ電話機能部は、前記検出部において前記相手端末側音声データと前記相手端末側映像データの両方を受信することが可能である伝送品質レベルが検出された場合、前記自端末側映像データの送信を開始する請求項７に記載の無線通信端末。
【請求項９】
音声を取得する音声取得工程と、
被写体を撮像する撮像工程と、
前記音声取得工程により取得された自端末側音声データと、前記撮像工程により撮像された自端末側映像データとを相手端末へ送信する一方、前記相手端末から受信した相手端末側音声データに基づく音声を出力するとともに、前記相手端末から受信した相手端末側映像データに基づく映像を表示するテレビ電話工程と、
伝送路の伝送品質を検出する検出工程と、
前記テレビ電話工程において、前記テレビ電話を開始する際に、前記検出工程において前記自端末側音声データと前記自端末側映像データとを前記相手端末に送信する伝送路の伝送品質が、前記自端末側音声データと前記自端末側映像データの両方を送信することが不可能で、かつ前記自端末側音声データのみならば送信可能である伝送品質レベルとして検出された場合、前記自端末側音声データのみを前記相手端末へ送信する通信方法。
【請求項１０】
前記テレビ電話工程において、前記テレビ電話が実行されている間に、前記検出行程において前記自端末側音声データと前記自端末側映像データの両方を送信することが可能である伝送品質レベルが検出された場合、前記自端末側映像データの送信を開始する請求項９に記載の通信方法。
【請求項１１】
前記テレビ電話工程において、前記相手端末側映像データに基づく映像を表示するとともに、前記自端末側映像データに基づく映像を表示可能にし、
前記テレビ電話工程において、前記テレビ電話を開始する際に、前記検出工程において前記伝送品質レベルが検出された場合、前記自端末側映像データに基づく映像を非表示とする請求項９に記載の通信方法。
【請求項１２】
前記テレビ電話工程において、前記テレビ電話を開始する際に、前記検出工程において前記伝送品質レベルが検出された場合、前記相手端末側映像データに基づく映像を非表示とする請求項１１に記載の通信方法。
【請求項１３】
音声を取得する音声取得工程と、
被写体を撮像する撮像工程と、
前記音声取得工程により取得された自端末側音声データと、前記撮像工程により撮像された自端末側映像データとを相手端末へ送信する一方、前記相手端末から受信した相手端末側音声データに基づく音声を出力するとともに、前記相手端末から受信した相手端末側映像データに基づく映像を表示するテレビ電話工程と、
伝送路の伝送品質を検出する検出工程と、
前記テレビ電話工程において、前記テレビ電話を開始する際に、前記検出工程において前記相手端末側音声データと前記相手端末側映像データとを前記自端末で受信する伝送路の伝送品質が、前記相手端末側音声データと前記相手端末側映像データの両方を受信することが不可能で、かつ前記相手端末側音声データのみならば受信可能である伝送品質レベルとして検出された場合、前記自端末側音声データのみを前記相手端末へ送信する通信方法。
【請求項１４】
前記テレビ電話行程において前記テレビ電話が実行されている間に、前記検出行程において前記相手端末側音声データと前記相手端末側映像データの両方を受信することが可能である伝送品質レベルが検出された場合、前記自端末側映像データの送信を開始する請求項１３に記載の通信方法。
【発明の詳細な説明】
【技術分野】
【０００１】
本発明は、テレビ電話を行う無線通信端末及び通信方法に関する。
【背景技術】
【０００２】
近年、無線通信ネットワークにおいても、ＩＰパケット通信を用いて、無線通信端末間におけるテレビ電話が行われている。
【０００３】
テレビ電話を行う無線通信端末は、取得した音声を変換した自端末側音声データと被写体の撮像によって取得した自端末側映像データとを通信相手の無線通信端末（以下、相手端末）に送信する。また、テレビ電話を行う無線通信端末は、相手端末から受信した相手端末側音声データに基づいて音声を出力し、相手端末から受信した相手端末側映像データに基づく映像を表示する。
【０００４】
ＩＰパケット通信によるテレビ電話では、無線通信ネットワークにおける輻輳状況等によって、パケットの遅延が発生し易い。すなわち、無線通信端末が送信した自端末側音声データと自端末側映像データが遅延する場合がある。かかる場合、遅延した相手端末側音声データと相手端末側映像データとを受信した無線通信端末においては、相手端末側音声データに基づいて出力された音声や、相手端末側映像データに基づいて表示された映像の品質が低下してしまう。
【０００５】
そこで、無線通信端末は、テレビ電話を開始する際に、ＱｏＳ制御を行うことによって、自端末側音声データと自端末側映像データとを相手端末に送信するために必要な帯域幅を確保する（例えば、特許文献１）。無線通信端末は、帯域幅の確保により通信速度を保証することによって、テレビ電話における音声及び映像の品質の劣化を防いでいる。
【特許文献１】特開２００２−２２３２６５号公報
【発明の開示】
【発明が解決しようとする課題】
【０００６】
しかしながら、上述のテレビ電話では、無線通信端末が、テレビ電話を開始する際に、自端末側音声データ及び自端末側映像データを相手端末に送信するために必要な帯域幅を確保できない場合、無線通信端末はテレビ電話を用いて相手端末と通信を行うことができないという問題点があった。
【０００７】
特に、無線通信ネットワークにおいては、無線通信端末の電波の受信状態等に応じて、確保可能な帯域幅が変動し易く、テレビ電話を開始する際に、自端末側音声データ及び自端末側映像データを送信するために必要な帯域幅を確保できない場合が多い。したがって、無線通信端末は、テレビ電話を用いて相手端末と通信できる機会が少なくなってしまうという問題点があった。
【０００８】
そこで、本発明は以上の点に鑑みてなされたものであり、確保可能な帯域幅が変動し易い場合であっても、テレビ電話を用いて相手端末と通信を行うことができる機会を向上させることを可能とする無線通信端末及び通信方法を提供することを目的とする。
【課題を解決するための手段】
【０００９】
本発明の第１の特徴は、音声を取得する音声取得部（音声処理部１７０）と、被写体を撮像する撮像部（撮像部１６０）と、音声を出力する音声出力部（音声処理部１７０）と、映像を表示する表示部（表示部１５０）と、前記音声取得部により取得された自端末側音声データと、前記撮像部により撮像された自端末側映像データとを相手端末へ送信する一方、前記相手端末から受信した相手端末側音声データに基づく音声を前記音声出力部より出力させるとともに、前記相手端末から受信した相手端末側映像データに基づく映像を前記表示部に表示させるテレビ電話機能部（テレビ電話機能部１４０）と、伝送路の伝送品質を検出する検出部（検出部１３０）とを有し、前記テレビ電話機能部は、前記テレビ電話を開始する際に、前記検出部において前記自端末側音声データと前記自端末側映像データとを前記相手端末に送信する伝送路の伝送品質が、前記自端末側音声データと前記自端末側映像データとを前記相手端末に送信することが不可能で、かつ前記自端末側音声データのみならば送信可能である伝送品質レベルとして検出された場合、前記自端末側音声データのみを前記相手端末へ送信する無線通信端末であることを要旨とする。
【００１０】
かかる特徴によれば、テレビ電話を開始する際に、伝送路の伝送品質が自端末側映像データと自端末側音声データの両方を相手端末に送信可能なレベルに達していない場合であっても、自端末側音声データのみならば相手端末に送信可能なレベルに達している場合であれば、テレビ電話の一環として、自端末側音声データのみを相手端末に送信することによって、確保可能な帯域幅が変動し易い場合であっても、相手端末とテレビ電話通信を行う機会を向上させることができる。
【００１１】
本発明の第１の特徴において、前記表示部は、前記相手端末側映像データに基づく映像を表示するとともに、前記自端末側映像データに基づく映像を表示可能に構成され、前記テレビ電話機能部は、前記テレビ電話を開始する際に、前記検出部が前記伝送品質レベルを検出した場合、前記表示部における前記自端末側映像データに基づく映像を非表示としてもよい。
【００１２】
かかる特徴によれば、伝送路の伝送品質が自端末側音声データと自端末側映像データの両方を相手端末へ送信可能なレベルに達していない場合であっても、自端末側音声データのみならば相手端末へ送信可能なレベルに達している場合であれば、テレビ電話機能部が表示部による自端末側映像データに基づく映像を非表示とすることによって、無線通信端末１００Ａのユーザは、自画像（映像Ａ）が相手端末に送信されていないことを知ることができる。
【００１３】
本発明の第１の特徴において、前記テレビ電話機能部は、前記テレビ電話を開始する際に、前記検出部が前記伝送品質レベルを検出した場合、前記表示部における前記相手端末側映像データに基づく映像を非表示としてもよい。
【００１４】
かかる特徴によれば、伝送路の伝送品質が自端末側音声データと自端末側映像データの両方を相手端末に送信可能なレベルに達していない場合であっても、自端末側音声データのみの相手端末へ送信可能なレベルに達している場合、テレビ電話機能部が表示部による自端末側映像データに基づく映像とともに、表示部による相手端末側映像データに基づく映像を非表示とする。したがって、相手端末側のユーザは、自端末側の映像を見ることができないのに、自端末側のユーザのみが、相手端末側の映像を見ることができるという不公平感を解消することができる。
【００１５】
本発明の第２の特徴は、音声を取得する音声取得工程と、被写体を撮像する撮像工程と、前記音声取得工程により取得された音声を変換した自端末側音声データと、前記撮像工程により撮像された自端末側映像データとを相手端末へ送信する一方、前記相手端末から受信した相手端末側音声データに基づく音声を出力するとともに、前記相手端末から受信した相手端末側映像データに基づく映像を表示するテレビ電話工程と、伝送路の伝送品質を検出する検出工程と、前記テレビ電話工程において、前記テレビ電話を開始する際に、前記検出工程において、前記自端末側音声データと前記自端末側映像データとを前記相手端末に送信する伝送路の伝送品質が、前記自端末側音声データと前記自端末側映像データの両方を前記相手端末に送信することが不可能で、かつ前記自端末側音声データのみならば送信可能である伝送品質レベルとして検出された場合、前記自端末側音声データのみを前記相手端末へ送信する通信方法であることを要旨とする。
【００１６】
本発明の第２の特徴において、前記テレビ電話工程において、前記相手端末側映像データに基づく映像を表示するとともに、前記自端末側映像データに基づく映像を表示し、前記テレビ電話工程において、前記テレビ電話を開始する際に、前記検出工程において前記伝送品質レベルが検出された場合、前記自端末側映像データに基づく映像を非表示としてもよい。
【００１７】
本発明の第２の特徴において、前記テレビ電話工程において、前記テレビ電話を開始する際に、前記検出工程において前記伝送品質レベルが検出された場合、前記相手端末側映像データに基づく映像を非表示としてもよい。
【００１８】
本発明の第３の特徴は、音声を取得する音声取得工程と、被写体を撮像する撮像工程と、前記音声取得工程により取得された自端末側音声データと、前記撮像工程により撮像された自端末側映像データとを相手端末へ送信する一方、前記相手端末から受信した相手端末側音声データに基づく音声を出力するとともに、前記相手端末から受信した相手端末側映像データに基づく映像を表示するテレビ電話工程と、伝送路の伝送品質を検出する検出工程と、前記テレビ電話工程において、前記テレビ電話を開始する際に、前記検出工程において、前記自端末側音声データと前記自端末側映像データとを前記相手端末に送信する伝送路の伝送品質が、前記自端末側音声データと前記自端末側映像データの両方を送信することが不可能で、かつ前記自端末側映像データのみならば送信可能である伝送品質レベルとして検出された場合、前記自端末側映像データのみを前記相手端末へ送信する通信方法であることを要旨とする。
【発明の効果】
【００１９】
本発明によれば、確保可能な帯域幅が変動し易い場合であっても、テレビ電話を用いて相手端末と通信を行う機会を向上させることを可能とする無線通信端末及び通信方法を提供することができる。
【発明を実施するための最良の形態】
【００２０】
（無線通信ネットワークの概略構成）
図１は、本実施形態に係る無線通信端末を含む移動体通信システムの全体概略構成を示している。図１に示すように、無線通信ネットワーク１上には、無線通信端末１００Ａ，１００Ｂとの間において無線通信を実行する基地局２００Ａ〜２００Ｂが配置されている。
【００２１】
また、無線通信端末１００Ａ、１００Ｂは、回線交換方式ではなく、ＩＰパケット通信を用いてテレビ電話を行うテレビ電話機能を具備しており、無線通信端末１００Ａ、１００Ｂ間でテレビ電話を行っている。
【００２２】
テレビ電話では、無線通信端末１００Ａは、アップリンクＵＬ１とダウンリンクＤＬ１とを介して、音声データＡ（自端末側音声データ）と映像データＡ（自端末側映像データ）とを無線通信端末１００Ｂに送信する。一方、無線通信端末１００Ｂも、アップリンクＵＬ２とダウンリンクＤＬ２とを介して、音声データＢと映像データＢとを無線通信端末１００Ａに送信する。
【００２３】
また、無線通信端末１００Ａは、無線通信端末１００Ｂから音声データＢ（相手端末側音声データ）と映像データＢ（相手端末側映像データ）とを受信し、音声データＢに基づいて音声を出力し、映像データＢに基づいて映像を表示する。同様に、無線通信端末１００Ｂは、無線通信端末１００Ａから音声データＡと映像データＡとを受信し、音声データＡに基づいて音声を出力し、映像データＡに基づいて映像を表示する。
【００２４】
また、無線通信ネットワーク１には、ＳＩＰ（session initiation protocol、RFC3261など）に従って、無線通信端末１００Ａ，１００Ｂの呼制御等を行うＳＩＰサーバー３００が接続されている。具体的には、ＳＩＰサーバー３００は、無線通信端末１００Ａが音声データＡと映像データＡとを無線通信端末１００Ｂに送信するための伝送路、つまり、アップリンクＵＬ１とダウンリンクＤＬ１とから成る伝送路（以下、伝送路Ａという）と、無線通信端末１００Ｂが音声データＢと映像データＢとを無線通信端末１００Ａに送信するための伝送路、つまり、アップリンクＵＬ２とダウンリンクＤＬ１とから成る伝送路（以下、伝送路Ｂという）を設定する。
【００２５】
なお、無線通信端末１００Ａ、１００Ｂとの呼制御は、複数のＳＩＰサーバー３００を介して行われてもよい。
【００２６】
（無線通信端末の構成）
図２を参照し、無線通信端末１００Ａの構成について説明する。
【００２７】
図２に示すように、無線通信端末１００Ａは、送受信部１１０と、ＱｏＳ制御部１２０と、検出部１３０と、テレビ電話機能部１４０と、表示部１５０と、撮像部１６０と、音声処理部１７０とを具備する。
【００２８】
なお、無線通信端末１００Ａとテレビ電話を行う無線通信端末１００Ｂも同様の構成を有する。
【００２９】
以下、本発明との関連がある部分について主に説明する。したがって、無線通信端末１００Ａは、無線通信端末１００Ａとしての機能を実現する上で必須な、図示しない或いは説明を省略した論理ブロック（電源部など）を備える場合があることに留意されたい。
【００３０】
送受信部１１０は、無線通信端末１００Ｂへの音声データＡと映像データＡとを基地局２００Ａに送信し、無線通信端末１００Ｂからの音声データＢと映像データＢとを基地局２００Ａから受信する。
【００３１】
また、送受信部１１０は、無線通信端末１００ＢへのアップリンクＵＬ１のＱｏＳ情報とダウンリンクＤＬ２のＱｏＳ情報を基地局２００Ａに送信し、無線通信端末１００Ｂから送信されたダウンリンクＤＬ１のＱｏＳ情報とアップリンクＵＬ２のＱｏＳ情報を基地局２００Ａから受信する。
【００３２】
ＱｏＳ制御部１２０は、基地局２００Ａとの間でＱｏＳネゴシエーションを行う。具体的には、ＱｏＳ制御部１２０は、基地局２００Ａとの間のアップリンクＵＬ１及びダウンリンクＤＬ２において、確保可能な帯域幅や、データの遅延状態等を取得する。また、ＱｏＳ制御部１２０は、取得した確保可能な帯域幅やデータの遅延状態等に基づいて、アップリンクＵＬ１及びダウンリンクＤＬ２のＱｏＳ情報を生成する。
【００３３】
具体的には、ＱｏＳ制御部１２０は、アップリンクＵＬ１において、確保可能な帯域幅や、データの遅延状態等に基づいて、音声データＡと映像データＡの両方を無線通信端末１００Ａから基地局２００Ａに送信可能であることを示すＱｏＳ情報又は音声データＡのみを無線通信端末１００Ａから基地局２００Ａに送信可能であることを示すＱｏＳ情報を生成する。
【００３４】
例えば、図３に示すようにアップリンクＵＬ１において確保可能な帯域幅（転送速度）が変化する場合、ＱｏＳ制御部１２０は、以下のように、ＱｏＳ情報を生成する。
【００３５】
すなわち、テレビ電話の開始時点Ｔ０においては、アップリンクＵＬ１において確保可能な帯域幅（転送速度）は、音声データＡを送信するために必要な帯域幅を満たすが、音声データＡと映像データＡの両方を送信するために必要な帯域幅を満たしていない。かかる場合、ＱｏＳ制御部１２０は、アップリンクＵＬ１において、音声データＡのみを無線通信端末１００Ａから基地局２００Ａに送信可能であることを示すＱｏＳ情報を生成する。
【００３６】
一方、テレビ電話中の時点Ｔ１において、アップリンクＵＬ１において確保可能な帯域幅（転送速度）は、音声データＡと映像データＡの両方を送信するために必要な帯域幅を満たす。かかる場合、ＱｏＳ制御部１２０は、アップリンクＵＬ１において、音声データＡと映像データＡの両方を無線通信端末１００Ａから基地局２００Ａに送信可能であることを示すＱｏＳ情報を生成する。
【００３７】
同様に、ＱｏＳ制御部１２０は、ダウンリンクＤＬ２において、確保可能な帯域幅や、データの遅延状態等に基づいて、音声データＢと映像データＢの両方を基地局２００Ａから受信可能であることを示すＱｏＳ情報、又は音声データＢのみを基地局２００Ａから受信可能であることを示すＱｏＳ情報を生成する。
【００３８】
検出部１３０は、ＱｏＳ制御部１２０によって生成されたアップリンクＵＬ１のＱｏＳ情報と、送受信部１１０によって受信したダウンリンクＤＬ１のＱｏＳ情報とに基づいて、伝送路Ａ（すなわち、アップリンクＵＬ１及びダウンリンクＤＬ１）の伝送品質を検出する。
【００３９】
具体的には、アップリンクＵＬ１のＱｏＳ情報が音声データＡと映像データＡの両方を無線通信端末１００Ａから基地局２００Ａに送信可能であることを示し、かつダウンリンクＤＬ１のＱｏＳ情報が音声データＡと映像データＡの両方を基地局２００Ｂから無線通信端末１００Ｂに送信可能であることを示す場合、検出部１３０は、伝送路Ａの伝送品質が、音声データＡと映像データＡの両方を無線通信端末１００Ｂに送信可能なレベルに達していると判断する。
【００４０】
また、アップリンクＵＬ１のＱｏＳ情報が音声データＡのみを無線通信端末１００Ａから基地局２００Ａに送信可能であることを示すか、又はダウンリンクＤＬ１のＱｏＳ情報が音声データＡのみを基地局２００Ｂから無線通信端末１００Ｂに送信可能であることを示す場合、検出部１３０は、伝送路Ａの伝送品質が、音声データＡのみならば無線通信端末１００Ｂに送信可能なレベルに達していると判断する。
【００４１】
すなわち、検出部１３０は、テレビ電話を開始する際に、伝送路Ａの伝送品質が、音声データＡと映像データＡの両方を無線通信端末１００Ｂに送信することが不可能で、かつ音声データＡのみならば無線通信端末１００Ｂに送信可能であるレベル（伝送品質レベル）を検出する。
【００４２】
なお、検出部１３０は、ＱｏＳ制御部１２０によって生成されたダウンリンクＤＬ２のＱｏＳ情報と、送受信部１１０によって受信したアップリンクＵＬ２のＱｏＳ情報とに基づいて、伝送路Ｂ（すなわち、アップリンクＵＬ２、ダウンリンクＤＬ２）の伝送品質が、音声データＢと映像データＢの両方を伝送可能なレベルに達しているか、それとも、音声データＢのみならば伝送可能なレベルに達しているか、あるいは、音声データＢのみも伝送可能なレベルに達していないかを判断する。
【００４３】
テレビ電話機能部１４０は、無線通信端末１００の各機能ブロックを制御し、テレビ電話を行う。
【００４４】
テレビ電話機能部１４０は、ＳＩＰにしたがって、無線通信端末１００Ｂとテレビ電話を行うための呼制御を行う。なお、テレビ電話機能部１４０は、無線通信端末１００Ｂとの呼制御の際に、ＳＩＰのメッセージによってＱｏＳ制御部１２０によって生成されたＱｏＳ情報を無線通信端末１００Ｂに送信するように制御してもよい。
【００４５】
また、テレビ電話機能部１４０は、送受信部１１０による音声データＡと映像データＡの無線通信端末１００Ｂへの送信を制御する。
【００４６】
具体的には、テレビ電話機能部１４０は、検出部１３０により伝送路Ａの伝送品質が音声データＡと映像データＡの両方を送信可能なレベルに達していると判断された場合、音声データＡと映像データＡの両方を無線通信端末１００Ｂに送信するように送受信部１１０に指示する。
【００４７】
一方、テレビ電話機能部１４０は、検出部１３０により伝送路Ａの伝送品質が音声データＡのみならば送信可能なレベルに達していると判断された場合、音声データＡのみを無線通信端末１００Ｂに送信するように送受信部１１０に指示する。
【００４８】
なお、検出部１３０により、伝送路Ａの伝送品質が音声データＡと映像データＡの両方を送信可能なレベルに達していると判断された場合であっても、伝送路Ｂの伝送品質が音声データＢと映像データＢの両方を送信可能なレベルに達していないと判断された場合、テレビ電話機能部１４０は、音声データＡのみを無線通信端末１００Ｂに送信するように送受信部１１０に指示してもよい。
【００４９】
また、テレビ電話機能部１４０は、送受信部１１０によって受信した映像データＢに基づく映像Ｂと、撮像部１６０による撮像によって取得した映像データＡに基づく映像Ａの表示部１５０上への表示を制御する。
【００５０】
具体的には、テレビ電話機能部１４０は、検出部１３０により、伝送路Ａの伝送品質が音声データＡと映像データＡの両方を送信可能なレベルに達していると判断された場合、映像データＢに基づく映像Ｂ（相手画像）と映像データＡに基づく映像Ａ（自画像）とを表示するように表示部１５０に指示する。
【００５１】
一方、テレビ電話機能部１４０は、検出部１３０により、伝送路Ａの伝送品質が音声データＡのみならば送信可能なレベルに達していると判断された場合、映像データＢに基づく映像Ｂ（相手画像）のみを表示し、映像データＡに基づく映像Ａ（自画像）の表示を非表示とするように表示部１５０に指示する。
【００５２】
なお、テレビ電話機能部１４０は、伝送路Ａの伝送品質が音声データＡのみならば送信可能なレベルに達していると判断された場合、又は、伝送路Ｂの伝送品質が音声データＢのみならば送信可能なレベルに達していると判断された場合、映像データＡに基づく映像Ａ（自画像）および映像データＢに基づく映像Ｂ（相手画像）の両方を非表示とするように表示部１５０に指示してもよい。
【００５３】
また、テレビ電話機能部１４０は、送受信部１１０によって受信した音声データＢに基づく音声の出力を音声処理部１７０によって実行する。
【００５４】
表示部１５０は、小型の表示機によって構成され、様々な情報を表示する。具体的には、表示部１５０は、テレビ電話機能部１４０の指示によって、送受信部１１０が受信した映像データＢに基づく映像Ｂとともに、撮像部１６０による撮像によって取得した映像データＡに基づく映像Ａを表示する（図６（ａ）参照）。
【００５５】
撮像部１６０は、カメラによって構成され、被写体を撮像する。なお、映像データＡは、撮像部１６０による撮像によって取得される。
【００５６】
音声処理部１７０は、マイクやスピーカによって構成され、音声の取得や、音声の出力を行う。具体的には、音声処理部１７０は、音声データＡに変換される音声を取得し、音声データＢに基づく音声を出力する。
【００５７】
（移動体通信システムの動作例１）
以下、図４乃至図８を参照し、本実施形態に係る移動体通信システムの無線通信端末がテレビ電話を行う動作について説明する。
【００５８】
具体的には、伝送路Ａにおいて無線通信端末１００Ａが音声データＡのみを送信する例（すなわち、（１）アップリンクＵＬ１の伝送品質が音声データＡのみを無線通信端末１００Ａから基地局２００Ａに送信可能なレベルである場合、又は（２）ダウンリンクＤＬ１の伝送品質が音声データＡのみを基地局２００Ｂから無線通信端末１００Ｂに送信可能なレベルである場合）について説明する。
【００５９】
（１）アップリンクＵＬ１の伝送品質が音声データＡのみを無線通信端末１００Ａから基地局２００Ａに送信可能なレベルである場合
図４に示すように、ステップＳ１１０において、無線通信端末１００Ａは、無線通信端末１００Ｂ宛の“ＩＮＶＩＴＥ”メッセージを基地局２００Ａに対して送信する。
【００６０】
ステップＳ１１１において、基地局２００Ａは、ＳＩＰサーバー３００（図示なし）を介して、受信した無線通信端末１００Ｂ宛の“ＩＮＶＩＴＥ”メッセージを基地局２００Ｂに送信する。
【００６１】
ステップＳ１１２において、基地局２００Ｂは、無線通信端末１００Ａより受信した無線通信端末１００Ｂ宛の“ＩＮＶＩＴＥ”メッセージを無線通信端末１００Ｂに送信する。
【００６２】
ステップＳ１２０ａにおいて、無線通信端末１００Ａは、ＱｏＳネゴシエーションを行う。
【００６３】
具体的には、無線通信端末１００Ａは、アップリンクＵＬ１において音声データＡのみを基地局２００Ａに送信可能であることを示すＱｏＳ情報を生成する。同様に、無線通信端末１００Ａは、ダウンリンクＤＬ２において音声データＢと映像データＢの両方を基地局２００Ａから受信可能であることを示すＱｏＳ情報を生成する。
【００６４】
ステップＳ１２０ｂにおいて、無線通信端末１００Ｂも、ＱｏＳネゴシエーションを行う。
【００６５】
具体的には、無線通信端末１００Ｂは、アップリンクＵＬ２において音声データＢと映像データＢの両方を基地局２００Ｂに送信可能であることを示すＱｏＳ情報を生成する。同様に、無線通信端末１００Ｂは、ダウンリンクＤＬ１において音声データＡと映像データＡの両方を基地局２００Ｂから受信可能であることを示すＱｏＳ情報を生成する。
【００６６】
ステップＳ１３０〜Ｓ１３２において、無線通信端末１００Ｂは、ステップＳ１２０ｂにおいて生成されたダウンリンクＤＬ１及びアップリンクＵＬ２のＱｏＳ情報を基地局２００Ｂ、基地局２００Ａを介して無線通信端末１００Ａに通知する。かかるＱｏＳ情報は、ＳＩＰのメッセージのＳＤＰ（セッション記述プロトコル）によって、無線通信端末１００Ａに通知されてもよい。
【００６７】
なお、図４のＱｏＳ情報（ＤＬ１・ＵＬ２＝音声・映像）は、無線通信端末１００ＢがダウンリンクＤＬ１によって音声データＡと映像データＡの両方を基地局２００Ｂから受信可能、かつアップリンクＵＬ２によって音声データＢと映像データＢの両方を基地局２００Ｂに送信可能であることを示す。
【００６８】
ステップＳ１４０〜Ｓ１４２において、無線通信端末１００Ａは、ステップＳ１２０ａにおいて生成したアップリンクＵＬ１及びダウンリンクＤＬ２のＱｏＳ情報を基地局２００Ａ、基地局２００Ｂを介して無線通信端末１００Ｂに通知する。ＱｏＳ情報は、ＳＩＰのメッセージのＳＤＰによって、無線通信端末１００Ｂに通知してもよい。
【００６９】
なお、図４のＱｏＳ情報（ＵＬ１＝音声、ＤＬ２＝音声・映像）は、無線通信端末１００ＡがアップリンクＵＬ１によって音声データＡのみを基地局２００Ａに送信可能、かつダウンリンクＤＬ２によって音声データＢと映像データＢの両方を基地局２００Ａから受信可能であることを示す。
【００７０】
ステップＳ１５０ａにおいて、無線通信端末１００Ａは、音声データＡのみを無線通信端末１００Ｂに送信することを決定する。
【００７１】
具体的には、無線通信端末１００Ａは、図５に示すフローに従って、伝送路Ａへの送信制御処理を行う。
【００７２】
図５に示すように、ステップＳ２１０において、無線通信端末１００Ａは、伝送路Ａの伝送品質が音声データＡを無線通信端末１００Ｂに送信可能なレベルに達しているか否かを判定する。すなわち、アップリンクＵＬ１のＱｏＳ情報が音声データＡを無線通信端末１００Ａから基地局２００Ａに送信可能であることを示し、かつダウンリンクＤＬ１のＱｏＳ情報が音声データＡを基地局２００Ｂから無線通信端末１００Ｂに送信可能であることを示しているか否かを判定する。
【００７３】
伝送路Ａの伝送品質が音声データＡを無線通信端末１００Ｂに送信可能なレベルに達していないと判断された場合（ステップＳ２１０でＮＯ）、ステップＳ２２０において、無線通信端末１００Ａは、テレビ電話を終了することを決定する。
【００７４】
伝送路Ａの伝送品質が音声データＡを無線通信端末１００Ｂに送信可能なレベルに達していると判断された場合（ステップＳ２１０でＹＥＳ）、ステップＳ２３０において、無線通信端末１００Ａは、伝送路Ａの伝送品質が音声データＡと映像データＡの両方を無線通信端末１００Ｂに送信可能な伝送品質なレベルに達しているか否かを判定する。すなわち、アップリンクＵＬ１のＱｏＳ情報が音声データＡと映像データＡの両方を無線通信端末１００Ａから基地局２００Ａに送信可能であることを示し、かつダウンリンクＤＬ１のＱｏＳ情報が音声データＡと映像データＡの両方を基地局２００Ｂから無線通信端末１００Ｂに送信可能であることを示しているか否かを判定する。
【００７５】
伝送路Ａの伝送品質が音声データＡと映像データＡの両方を無線通信端末１００Ｂに送信可能なレベルに達していないと判断された場合（ステップＳ２３０でＮＯ）、ステップＳ２４０において、無線通信端末１００Ａは、音声データＡのみを無線通信端末１００Ｂに送信することを決定する。
【００７６】
伝送路Ａの伝送品質が音声データＡと映像データＡの両方を無線通信端末１００Ｂに送信可能なレベルに達していると判断された場合（ステップＳ２３０でＹＥＳ）、ステップＳ２５０において、無線通信端末１００Ａは、音声データＡと映像データＡの両方を無線通信端末１００Ｂに送信することを決定する。
【００７７】
図４のステップＳ１５０ｂにおいて、無線通信端末１００Ｂは、音声データＢと映像データＢの両方を無線通信端末１００Ａへ送信することを決定する。
【００７８】
具体的には、無線通信端末１００Ｂは、上述の図５に示すフローに従って、アップリンクＵＬ２及びダウンリンクＤＬ２のＱｏＳ情報に基づいて、伝送路Ｂへの送信制御処理を行う。
【００７９】
ステップＳ１６０において、無線通信端末１００Ａは、映像データＡを送信せずに、音声データＡのみを無線通信端末１００Ｂに送信し、無線通信端末１００Ｂは、音声データＡのみを受信する。
【００８０】
ステップＳ１７０において、無線通信端末１００Ｂは、音声データＢと映像データＢの両方を無線通信端末１００Ａに送信し、無線通信端末１００Ａは、音声データＢと映像データＢの両方を受信する。
【００８１】
ステップＳ１８０ａにおいて、図６（ａ）に示すように、無線通信端末１００Ａは、映像データＡに基づく映像Ａを非表示とする。一方、無線通信端末１００Ａは、無線通信端末Ｂから受信した映像データＢに基づく映像Ｂを表示する。これにより、無線通信端末１００Ａのユーザは、自画像（映像データＡに基づく映像Ａ）が、相手端末（無線通信端末１００Ｂ）に送信されていないことを知ることができる。
【００８２】
ステップＳ１８０ｂにおいて、無線通信端末１００Ｂは、図６（ｂ）に示すように、映像データＢに基づく映像Ｂを表示する。一方、映像Ａを表示すべき領域には、映像データＡの受信ができないため、音声のみの通信を実行している旨を表示する。
【００８３】
（２）ダウンリンクＤＬ１の伝送品質が音声データＡのみを基地局２００Ｂから無線通信端末１００Ｂに送信可能なレベルである場合
図７は、ダウンリンクＤＬ１の伝送品質が音声データＡのみを基地局２００Ｂから無線通信端末１００Ｂに送信可能なレベルである場合の動作シーケンス図である。なお、図４のシーケンス図と同様のステップ（ステップＳ３１０〜Ｓ３１２）については説明を省略する。
【００８４】
ステップＳ３２０ａにおいて、無線通信端末１００Ａは、アップリンクＵＬ１において音声データＡと映像データＡの両方を基地局２００Ａに送信可能であることを示すＱｏＳ情報を生成する。同様に、無線通信端末１００Ａは、ダウンリンクＤＬ２において音声データＢと映像データＢの両方を基地局２００Ａから受信可能であることを示すＱｏＳ情報を生成する。
【００８５】
ステップＳ３２０ｂにおいて、無線通信端末１００Ｂも、ＱｏＳネゴシエーションを行う。
【００８６】
具体的には、無線通信端末１００Ｂは、アップリンクＵＬ２において音声データＢと映像データＢの両方を基地局２００Ｂに送信可能であることを示すＱｏＳ情報を生成する。同様に、無線通信端末１００Ｂは、ダウンリンクＤＬ１において音声データＡのみを基地局２００Ｂから受信可能であることを示すＱｏＳ情報を生成する。
【００８７】
ステップＳ３３０〜Ｓ３３２については、図４のステップ１３０〜Ｓ１３２と同様のため説明を省略する。なお、図７のＱｏＳ情報（ＤＬ１＝音声、ＵＬ２＝音声・映像）は、無線通信端末１００ＢがダウンリンクＤＬ１によって音声データＡのみを基地局２００Ｂから受信可能、かつアップリンクＵＬ２によって音声データＢと映像データＢの両方を基地局２００Ｂに送信可能であることを示す。
【００８８】
ステップＳ３４０〜Ｓ３４２については、図４のステップ１４０〜Ｓ１４２と同様のため説明を省略する。なお、図７のＱｏＳ情報（ＵＬ１・ＤＬ２＝音声・映像）は、無線通信端末１００ＡがアップリンクＵＬ１によって音声データＡと映像データＡの両方を基地局２００Ａに送信可能、かつダウンリンクＤＬ２によって音声データＢと映像データＢの両方を基地局２００Ａから受信可能であることを示す。
【００８９】
ステップＳ３５０ａにおいて、無線通信端末１００Ａは、図５に示すフローに従って伝送路Ａへの送信制御処理を行い、音声データＡのみを無線通信端末１００Ｂへ送信することを決定する。
【００９０】
ステップＳ３５０ｂにおいて、無線通信端末１００Ｂは、図５に示すフローに従って伝送路Ｂへの送信制御処理を行い、音声データＢと映像データＢの両方を無線通信端末１００Ａへ送信することを決定する。
【００９１】
ステップＳ３６０〜Ｓ３８０については、図４のステップ１６０〜Ｓ１８０と同様のため説明を省略する。
【００９２】
以上、無線通信端末１００Ａが音声データＡのみを送信する例について説明したが、無線通信端末１００Ｂが音声データＢのみを送信する例（すなわち、アップリンクＵＬ２の伝送品質が音声データＢのみを無線通信端末１００Ｂから基地局２００Ｂに送信可能なレベルである場合、又はダウンリンクＤＬ２の伝送品質が音声データＢのみを基地局２００Ａから無線通信端末１００Ａに送信可能なレベルである場合）についても上述のシーケンス（図４、図７）とフロー（図５）に従って動作する。
【００９３】
なお、無線通信端末１００Ｂが音声データＢのみを送信する場合、図８（ａ）に示すように、無線通信端末１００Ａは、映像Ｂを表示すべき領域には、映像データＢの受信ができないため、音声のみの通信を実行している旨を表示する。映像データＢに基づく映像Ｂの表示を行うことができない。このため、図８（ｂ）に示すように、無線通信端末１００Ｂのユーザは、自画像（映像Ｂ）が相手端末（無線通信端末１００Ａ）に送信されていないことを知ることができる。
【００９４】
（変更例１）
本実施形態の変更例１では、無線通信端末１００Ａが、無線通信端末１００Ｂから映像データＢを受信しても、映像データＢに基づく映像Ｂを非表示とする例について説明する。
【００９５】
すなわち、無線通信端末１００Ａは、伝送路Ａの伝送品質に応じて、音声データＡのみを送信する場合、音声データＢと映像データＢの両方の受信が可能であっても、映像データＢに基づく映像Ｂを非表示とする。
【００９６】
具体的には、図４に示す動作シーケンス図のステップＳ１８０ａにおいて、無線通信端末１００Ａは、伝送路Ｂの伝送品質が音声データＢと映像データＢの両方を伝送可能なレベルに達していても、図１０（ａ）に示すように、映像データＢに基づく映像Ｂを非表示とする。
【００９７】
なお、同様に、無線通信端末１００Ｂは、伝送路Ｂの伝送品質に応じてＢ音声データＢのみを送信する場合、音声データＡと映像データＡの両方を伝送可能なレベルに達していても、図１０（ｂ）に示すように、映像データＡに基づく映像Ａを非表示とする。
【００９８】
（変更例２）
本実施形態の変更例２では、伝送路Ｂの伝送品質が音声データＢと映像データＢの両方を伝送可能なレベルに達していない場合、伝送路Ａの伝送品質が音声データＡ及び映像データＡの両方を伝送可能なレベルに達していても、無線通信端末１００Ａが音声データＡのみを送信する例について説明する。
【００９９】
具体的には、図４の動作シーケンスのステップＳ１５０ａにおいて、無線通信端末１００Ａは、図９に示すフローに従って伝送路Ａへの送信制御処理を行い、音声データＡのみを無線通信端末１００Ｂへ送信することを決定する。
【０１００】
なお、ステップＳ４１０〜Ｓ４２０については、図５のステップＳ２１０〜Ｓ２２０と同様のため、説明を省略する。
【０１０１】
図９に示すように、ステップＳ４３０において、無線通信端末１００Ａは、伝送路Ａの伝送品質が音声データＡと映像データＡの両方を無線通信端末１００Ｂに送信可能なレベルに達しているか否かを判断するとともに、伝送路Ｂの伝送品質が音声データＢと映像データＢの両方を無線通信端末１００Ｂから受信可能なレベルに達しているか否かを判定する。すなわち、アップリンクＵＬ１のＱｏＳ情報が音声データＡと映像データＡの両方を無線通信端末１００Ａから基地局２００Ａに送信可能であることを示し、かつダウンリンクＤＬ１のＱｏＳ情報が音声データＡと映像データＡの両方を基地局２００Ａから無線通信端末１００Ａに送信可能であることを示すとともに、アップリンクＵＬ２のＱｏＳ情報が音声データＢと映像データＢの両方を無線通信端末１００Ｂから基地局２００Ｂに送信可能であることを示し、かつダウンリンクＤＬ２のＱｏＳ情報が音声データＢと映像データＢの両方を基地局２００Ａから無線通信端末１００Ａに送信可能であることを示すか否かを判定する。
【０１０２】
無線通信端末１００Ａは、伝送路Ａの伝送品質が音声データＡと映像データＡの両方を無線通信端末１００Ｂに送信可能なレベルに達していない場合、又は伝送路Ｂの伝送品質が音声データＢと映像データＢの両方を無線通信端末１００Ｂから受信可能なレベルに達していない場合（ステップＳ４３０でＮＯ）、ステップＳ４４０において、音声データＡのみを無線通信端末１００Ｂに送信することを決定する。
【０１０３】
無線通信端末１００Ａは、伝送路Ａの伝送品質が音声データＡと映像データＡの両方を無線通信端末１００Ｂに送信可能なレベルに達し、かつ伝送路Ｂの伝送品質が音声データＢと映像データＢの両方を無線通信端末１００Ｂから受信可能なレベルに達している場合（ステップＳ４３０でＹＥＳ）、ステップＳ４５０において、無線通信端末１００Ａは、音声データＡと映像データＡの両方を無線通信端末１００Ｂに送信することを決定する。
【０１０４】
なお、同様に、伝送路Ｂの伝送品質が音声データＢと映像データＢの両方を送信可能なレベルに達していても、伝送路Ａの伝送品質が音声データＡと映像データＡの両方を送信可能なレベルに達していない場合、図４の動作シーケンスのステップＳ１５０ｂにおいて、無線通信端末１００Ｂは、上述の図９に示すフローに従って伝送路Ｂへの送信制御処理を行い、音声データＢのみを無線通信端末１００Ａへ送信することを決定する。
【０１０５】
図１０に本変更例における無線通信端末１００Ａ及び１００Ｂの表示の一例を示す。
【０１０６】
（変更例３）
本実施形態の変更例３では、伝送路Ａの伝送品質が音声データＡと映像データＡの両方を送信可能なレベルに達していない場合、無線通信端末１００Ａが、映像データＡを優先して無線通信端末１００Ｂに送信する例について説明する。
【０１０７】
具体的には、図４の動作シーケンスのステップＳ１５０ａにおいて、無線通信端末１００Ａは、図１１に示すフローに従って伝送路Ａへの送信制御処理を行い、映像データＡを優先して無線通信端末１００Ｂへ送信することを決定する。
【０１０８】
図１１に示すように、ステップＳ５１０において、無線通信端末１００Ａは、伝送路Ａにより映像データＡを無線通信端末１００Ｂに送信可能なレベルに達しているか否かを判定する。すなわち、アップリンクＵＬ１のＱｏＳ情報が映像データＡを無線通信端末１００Ａから基地局２００Ａに送信可能であることを示し、かつダウンリンクＤＬ１のＱｏＳ情報が映像データＡを基地局２００Ｂから無線通信端末１００Ｂに送信可能であることを示しているか否かを判定する。
【０１０９】
伝送路Ａの伝送品質が映像データＡを無線通信端末１００Ｂに送信可能なレベルに達していない場合（ステップＳ５１０のＮＯ）、ステップＳ５２０において、上述のようにアップリンクＵＬ１のＱｏＳ情報とダウンリンクＤＬ１のＱｏＳ情報とに基づいて、無線通信端末１００Ａは、伝送路Ａの伝送品質が音声データＡのみを無線通信端末１００Ｂに送信可能なレベルに達しているか否かを判定する。
【０１１０】
伝送路Ａの伝送品質が音声データＡのみを無線通信端末１００Ｂに送信可能なレベルに達していない場合（ステップＳ５２０のＮＯ）、ステップＳ５３０において、無線通信端末１００Ａは、テレビ電話を終了することを決定する。
【０１１１】
伝送路Ａの伝送品質が音声データＡのみを無線通信端末１００Ｂに送信可能なレベルに達している場合（ステップＳ５２０のＹＥＳ）、ステップＳ５４０において、音声データＡのみを無線通信端末１００Ｂに送信することを決定する。
【０１１２】
伝送路Ａの伝送品質が映像データＡを無線通信端末１００Ｂに送信可能なレベルに達している場合（ステップＳ５１０のＹＥＳ）、ステップＳ５５０において、無線通信端末１００Ａは、アップリンクＵＬ１のＱｏＳ情報とダウンリンクＤＬ１のＱｏＳ情報とに基づいて、伝送路Ａの伝送品質が映像データＡと音声データＡの両方を無線通信端末１００Ｂに送信可能なレベルに達しているか否かを判定する。
【０１１３】
伝送路Ａの伝送品質が映像データＡと音声データＡとを無線通信端末１００Ｂに送信可能なレベルに達していない場合（ステップＳ５５０のＮＯ）、ステップＳ５６０において、無線通信端末１００Ａは、映像データＡのみを無線通信端末１００Ｂに送信することを決定する。
【０１１４】
伝送路Ａの伝送品質が映像データＡと音声データＡの両方を無線通信端末１００Ｂに送信可能なレベルに達している場合（ステップＳ５５０のＹＥＳ）、ステップＳ５７０において、無線通信端末１００Ａは、音声データＡと映像データＡの両方を無線通信端末１００Ｂに送信することを決定する。
【０１１５】
なお、同様に、伝送路Ｂの伝送品質が音声データＢと映像データＢの両方を無線通信端末１００Ａに送信可能なレベルに達していない場合、図４の動作シーケンスのステップＳ１５０ｂにおいて、無線通信端末１００Ｂは、図１１に示すフローに従って伝送路Ｂへの送信制御処理を行い、映像データＢを音声データＢに優先して無線通信端末１００Ａへ送信することを決定する。
【０１１６】
（移動体通信システムの動作例２）
以下、無線通信端末１００Ａが伝送路Ａに音声データＡのみを送信し、無線通信端末１００Ｂが伝送路Ｂに音声データＢと映像データＢの両方を送信して通話を開始した場合において、通話途中で伝送路Ａの伝送品質が音声データＡ及び映像データＡの両方を伝送可能なレベルに達した場合に、無線通信端末１００Ａが映像データＡ及び音声データＡの両方の送信を開始する例について説明する。
【０１１７】
具体的には、図４の動作シーケンスのステップＳ１５０ａ、若しくは、図７の動作シーケンスのステップＳ３５０ａにおいて、無線通信端末１００Ａは、図５若しくは図９に示すフローに従って伝送路Ａへの送信制御処理を行い、音声データＡのみを無線通信端末１００Ｂへ送信することを決定し、無線通信端末１００Ｂとの通話を開始した場合について説明する。
【０１１８】
図１３は、本実施形態における無線通信端末１００Ａの通話中の送信制御処理のフローを示し、図１４は、本実施形態における無線通信端末１００Ｂの通話中の送信制御処理のフローを示す。
【０１１９】
図１３のステップＳ７０１において、無線通信端末１００Ａは、無線通信端末１００Ｂとの通話を開始したか否かを判定し、通話を開始したと判定した場合には、ステップＳ７０２においてタイマーを起動する。なお、特に図示しないが、無線通信端末１００Ａは、例えばテレビ電話機能部１４０内にタイマー機能を有する。以降、無線通信端末１００Ａは、ステップＳ７０３のループを通話が終了まで繰り返す。
【０１２０】
ステップＳ７０４において、無線通信端末１００Ａは、起動したタイマーがＴ（任意の正の数）秒経過したか否かを判定し、Ｔ秒が経過した場合（ステップＳ７０４でＹＥＳ）、基地局２００Ａとの間でＱｏＳネゴシエーションを実行する（ステップＳ７０５）。基地局２００Ａとの間のＱｏＳネゴシエーションの結果、音声データＡと映像データＡの両方を基地局２００Ａに送信可能か否かを判定し、送信可能と判定した場合には（ステップＳ７０６でＹＥＳ）、ステップＳ７０８において、音声データＡと映像データＡの両方を基地局２００Ａに送信可能であることを示すＱｏＳ情報を無線通信端末１００Ｂに送信する。ステップＳ７０９において、無線通信端末１００ＢからＱｏＳ情報を受信したか否か判定し、無線通信端末１００ＢからＱｏＳ情報を受信した場合（ステップＳ７０９でＹＥＳ）、無線通信端末１００Ｂが基地局２００Ｂから音声データＡと映像データＡの両方を受信可能か否か判定する（ステップＳ７１０）。ステップ７１０において、無線通信端末１００Ｂが音声データＡと映像データＡの両方を受信可能であると判定した場合には（ステップＳ７１０でＹＥＳ）、無線通信端末１００Ａは、ステップＳ７１１において、音声データＡと映像データＡの両方を伝送路Ａへ送信することを決定する。なお、無線通信端末１００Ａは、ステップＳ７０６において、音声データＡと映像データＡの両方を基地局２００Ａに送信可能でないと判定した場合、若しくは、ステップＳ７１０において無線通信端末１００Ｂが音声データＡと映像データＡの両方を基地局２００Ｂから受信可能でないと判定した場合には、ステップＳ７０７においてタイマーを０に初期化して再度ループの処理を繰り返す。
【０１２１】
図１４において、無線通信端末１００Ｂは、無線通信端末１００Ａとの通話が開始されたか否かを判定し（ステップＳ１１０１）、通話が開始されたと判定した場合には（ステップＳ１１０１でＹＥＳ）、ステップＳ１００２のループを通話が終了するまで繰り返す。
【０１２２】
ステップＳ１１０３において、無線通信端末１００Ｂは、無線通信端末１００ＡからＱｏＳ情報を受信したか否か判定し、無線通信端末１００ＡからのＱｏＳ情報を受信した場合（ステップＳ１１０３でＹＥＳ）、基地局２００Ｂとの間でＱｏＳネゴシエーションを実行する（ステップＳ１１０４）。無線通信端末１００Ｂは、基地局２００Ｂとの間のＱｏＳネゴシエーションの結果、音声データＡと映像データＡの両方を基地局２００Ｂから受信可能であるか否かを判定し、受信可能であると判定した場合には（ステップＳ１１０５でＹＥＳ）、音声データＡと映像データＡの両方を基地局２００Ｂから受信可能であることを示すＱｏＳ情報を無線通信端末１００Ａに送信する（ステップＳ１１０７）。なお、無線通信端末１００Ｂは、ステップＳ１１０５において、音声データＢと映像データＢの両方を基地局２００Ｂに送信不可能である、または、音声データＡと映像データＡの両方を基地局２００Ｂから受信不可能であると判定した場合には（ステップＳ１１０５でＮＯ）、音声データＢのみを無線通信端末１００Ａに送信可能であることを示すＱｏＳ情報を無線通信端末１００Ａに送信する。
【０１２３】
図１２は、本実施形態におけるテレビ電話中の動作シーケンスの一例を示す図である。
【０１２４】
図１２に示すように、ステップＳ６００において、無線通信端末１００Ａは、無線基地局２００Ａとの間でＱｏＳネゴシエーションを行い、生成したアップリンクＵＬ１及びダウンリンクＤＬ２のＱｏＳ情報（ＵＬ１・ＤＬ２＝音声・映像）を、ステップＳ６１０〜ステップＳ６１２において、基地局２００Ａ、基地局２００Ｂを介して無線通信端末１００Ｂに通知する。
【０１２５】
無線通信端末１００Ｂは、無線通信端末１００ＡからＱｏＳ情報を受信すると、無線基地局２００Ｂとの間でＱｏＳネゴシエーションを行い（ステップＳ６２０）、生成したアップリンクＵＬ２及びダウンリンクＤＬ１のＱｏＳ情報（ＤＬ１・ＵＬ２＝音声・映像）を、ステップＳ６３０〜ステップＳ６３２において、基地局２００Ｂ、基地局２００Ａを介して無線通信端末１００Ａに通知する。
【０１２６】
ステップＳ６４０ａにおいて、無線通信端末１００Ａは、伝送路Ａ（ＵＬ１とＤＬ１とから成る伝送路）の伝送品質が音声データＡと映像データＡの両方を無線通信端末１００Ｂに送信可能なレベルに達したと判断し、音声データＡのみを送信していた状態から、音声データＡと映像データＡの両方を送信する状態に送信状態を切り替えることを決定する。
【０１２７】
また、ステップＳ６４０ｂにおいて、無線通信端末１００Ｂは、伝送路Ａ（ＵＬ１とＤＬ１とから成る伝送路）の伝送品質が音声データＡと映像データＡの両方を受信可能なレベルに達したと判断する。
【０１２８】
ステップＳ６５０において、無線通信端末１００Ａは、音声データＡと映像データＡの両方を無線通信端末１００Ｂへ送信し、無線通信端末１００Ｂは、音声データＡと映像データＡの両方を受信する。
【０１２９】
ステップＳ６６０において、無線通信端末１００Ｂは、音声データＢと映像データＢの両方を無線通信端末１００Ａへ送信し、無線通信端末１００Ａは、音声データＢと映像データＢの両方を受信する。
【０１３０】
ステップＳ６７０ａにおいて、図１８（ａ）に示すように、無線通信端末１００Ａは、映像データＡに基づく映像Ａと無線通信端末１００Ｂより受信した映像データＢに基づく映像Ｂを表示する。
【０１３１】
ステップＳ６７０ｂにおいて、図１８（ｂ）に示すように、無線通信端末１００Ｂは、映像データＢに基づく映像Ｂと無線通信端末１００Ａより受信した映像データＡに基づく映像Ａを表示する。
【０１３２】
これにより、無線通信端末１００Ａが音声データＡのみを送信して映像データＡの送信が可能なレベルに達した場合に、ＱｏＳ情報を無線通信端末１００Ｂに送信することで、音声と映像による通話が可能となる。
【０１３３】
なお、上述の動作例は、図４および図７のテレビ電話開始時の動作シーケンスにおいて、無線通信端末１００Ｂが音声データＢと映像データＢの両方を無線通信端末１００Ａに送信することを決定して無線通信端末１００Ａとのテレビ電話を開始した場合を例に説明したが、（変更例２）で示したように、テレビ電話開始時に、伝送路Ｂの伝送品質が音声データＢと映像データＢの両方を送信可能であっても、伝送路Ａの伝送品質が音声データＡのみしか送信可能でないため、無線通信端末１００Ｂが音声データＢのみを無線通信端末１００Ａに送信することを決定した場合にも、もちろん適用できる。
【０１３４】
その場合、図１２のステップＳ６４０ｂにおいて、無線通信端末１００Ｂは、伝送路Ａ（ＵＬ１とＤＬ１とから成る伝送路）の伝送品質が音声データＡと映像データＡの両方を受信可能なレベルに達したと判断し、音声データＢのみを送信していた状態から、音声データＢと映像データＢの両方を送信する状態に送信状態を切り替えることを決定する。
【０１３５】
次に、伝送路Ａが音声データＡのみを送信し、伝送路Ｂが音声データＢのみを送信することにより、無線通信端末１００Ａと無線通信端末１００Ｂとの間でテレビ電話が開始された場合に、通話途中で伝送路Ａの伝送品質が音声データＡおよび映像データＡの両方を伝送可能なレベルに達し、伝送路Ｂの伝送品質が音声データＢおよび映像データＢの両方を伝送可能なレベルに達した場合の動作について説明する。
【０１３６】
図１５は、テレビ電話開始時の動作シーケンス図の一例であり、伝送路Ａが音声データＡのみを無線通信端末１００Ａから無線通信端末１００Ｂに送信可能なレベルであり、かつ、伝送路Ｂが音声データＢのみを無線通信端末１００Ｂから無線通信端末１００Ａに送信可能なレベルの場合の動作シーケンスを示している。即ち、図１５では、アップリンクＵＬ１の伝送品質が音声データＡのみを無線通信端末１００Ａから基地局２００Ａに送信可能なレベルであり、ダウンリンクＤＬ２の伝送品質が音声データＢのみを基地局２００Ａから無線通信端末１００Ａに送信可能なレベルにある場合を示しているが、ダウンリンクＤＬ１の伝送品質が音声データＡのみを基地局２００Ｂから無線通信端末１００Ｂに送信可能なレベルであり、アップリンクＵＬ２の伝送品質が音声データＢのみを無線通信端末１００Ｂから基地局２００Ｂに送信可能なレベルである場合も、同様のシーケンスとなる。
【０１３７】
なお、図４のシーケンス図と同様のステップ（ステップＳ８１０〜Ｓ８２０）については説明を省略する。
【０１３８】
ステップＳ８３０〜Ｓ８３２において、無線通信端末１００Ｂは、ステップＳ８２０ｂにおいて生成されたダウンリンクＤＬ１及びアップリンクＵＬ２のＱｏＳ情報（ＤＬ１・ＵＬ２＝音声・映像）を基地局２００Ｂ、基地局２００Ａを介して無線通信端末１００Ａに通知する。
【０１３９】
ステップＳ８４０〜Ｓ８４２において、無線通信端末１００Ａは、ステップＳ８２０ａにおいて生成したアップリンクＵＬ１及びダウンリンクＤＬ２のＱｏＳ情報（ＤＬ１・ＵＬ２＝音声のみ）を基地局２００Ａ、基地局２００Ｂを介して無線通信端末１００Ｂに通知する。
【０１４０】
ステップＳ８５０ａにおいて、無線通信端末１００Ａは、図９に示すフローに従って伝送路Ａへの送信制御処理を行い、音声データＡのみを無線通信端末１００Ｂへ送信することを決定する。
【０１４１】
ステップＳ８５０ｂにおいて、無線通信端末１００Ｂは、図９に示すフローに従って伝送路Ｂへの送信制御処理を行い、音声データＢのみを無線通信端末１００Ａへ送信することを決定する。
【０１４２】
ステップＳ８６０において、無線通信端末１００Ａは、映像データＡを送信せずに、音声データＡのみを無線通信端末１００Ｂに送信し、無線通信端末１００Ｂは、音声データＡのみを受信する。
【０１４３】
ステップＳ８７０において、無線通信端末１００Ｂは、映像データＢを送信せずに、音声データＢのみを無線通信端末１００Ａに送信し、無線通信端末１００Ａは、音声データＢのみを受信する。
【０１４４】
図１６は、本実施形態における無線通信端末１００Ａの通話中の送信制御処理のフローを示し、図１７は、本実施形態における無線通信端末１００Ｂの通話中の送信制御処理のフローを示す。
【０１４５】
なお、図１６のフローチャートにおいて、図１３のフローチャートと同様のステップ（ステップＳ７０１〜Ｓ７０５）については説明を省略する。
【０１４６】
ステップＳ９０６において、無線通信端末１００Ａは、基地局２００Ａとの間のＱｏＳネゴシエーションの結果、音声データＡと映像データＡの両方を基地局２００Ａに送信可能で、かつ、音声データＢと映像データＢの両方を基地局２００から受信可能か否かを判定し、可能と判定した場合には（ステップＳ９０６でＹＥＳ）、ステップＳ９０８において、音声データＡと映像データＡの両方を基地局２００Ａに送信可能であり、かつ、音声データＢと映像データＢの両方を基地局２００Ａから受信可能であることを示すＱｏＳ情報を無線通信端末１００Ｂに送信する。また、無線通信端末１００Ａは、ステップＳ９０９において、無線通信端末１００ＢからＱｏＳ情報を受信したか否か判定し、無線通信端末１００ＢからＱｏＳ情報を受信した場合（ステップＳ９０９でＹＥＳ）、無線通信端末１００Ｂが音声データＢと映像データＢの両方を基地局２００Ｂに送信可能で、かつ、基基地局２００Ｂから音声データＡと映像データＡの両方を受信可能であるか否か判定する（ステップＳ９１０）。ステップ９１０において、無線通信端末１００Ｂが音声データＢと映像データＢの両方を基地局２００Ｂに送信可能で、かつ、基基地局２００Ｂから音声データＡと映像データＡの両方を受信可能であると判定した場合には（ステップＳ９１０でＹＥＳ）、無線通信端末１００Ａは、ステップＳ９１１において、音声データＡと映像データＡの両方を伝送路Ａへ送信することを決定する。なお、無線通信端末１００Ａは、ステップＳ９０６において、音声データＡと映像データＡの両方を送信可能でない、または、音声データＢと映像データＢの両方を受信可能でないと判定した場合、若しくは、ステップＳ９１０において無線通信端末１００Ｂが音声データＢと映像データＢの両方を送信可能でない、または、音声データＡと映像データＡの両方を受信可能でないと判定した場合には、ステップＳ９０７においてタイマーを０に初期化して再度ループの処理を繰り返す。
【０１４７】
図１７において、無線通信端末１００Ｂは、無線通信端末１００Ａとの通話が開始されたか否かを判定し（ステップＳ１００１）、通話が開始されたと判定した場合には（ステップＳ１００１でＹＥＳ）、ステップＳ１００２のループを通話が終了するまで繰り返す。
【０１４８】
ステップＳ１００３において、無線通信端末１００Ｂは、無線通信端末１００ＡからＱｏＳ情報を受信したか否か判定し、無線通信端末１００ＡからのＱｏＳ情報を受信した場合（ステップＡ１００３でＹＥＳ）、基地局２００Ｂとの間でＱｏＳネゴシエーションを実行する（ステップＳ１００４）。無線通信端末１００Ｂは、基地局２００Ｂとの間のＱｏＳネゴシエーションの結果、音声データＢと映像データＢの両方を基地局２００Ｂに送信可能で、かつ、音声データＡと映像データＡの両方を基地局２００Ｂから受信可能であるか否かを判定し、可能であると判定した場合には（ステップＳ１００５でＹＥＳ）、音声データＢと映像データＢの両方を基地局２００Ｂに送信可能で、かつ、音声データＡと映像データＡの両方を基地局２００Ｂから受信可能であることを示すＱｏＳ情報を無線通信端末１００Ａに送信し（ステップＳ１００７）、ステップＳ１００８において、音声データＢと映像データＢの両方を伝送路Ｂへ送信することを決定する。なお、無線通信端末１００Ｂは、ステップＳ１００５において、音声データＢと映像データＢの両方を基地局２００Ｂに送信不可能である、または、音声データＡと映像データＡの両方を基地局２００Ｂから受信不可能であると判定した場合には（ステップＳ１００５でＮＯ）、音声データＢのみを無線通信端末１００Ａに送信可能であることを示すＱｏＳ情報を無線通信端末１００Ａに送信する。
【０１４９】
これにより、無線通信端末１００Ａが音声データＡのみを送信して映像データＡの送信が可能なレベルに達した場合に、ＱｏＳ情報を無線通信端末１００Ｂに送信することで、音声と映像による通話が可能となる。
【０１５０】
（作用・効果）
以上説明した本実施形態に係る無線通信端末１００Ａによれば、テレビ電話を開始する際に、伝送路Ａ（音声データＡと映像データＡの両方を無線通信端末１００Ｂに送信する伝送路）の伝送品質が、音声データＡ（自端末側音声データ）と映像データＡ（自端末側映像データ）とを無線通信端末１００Ｂ（相手端末）に送信可能なレベルに達していない場合であっても、音声データＡのみであれば無線通信端末１００Ｂに送信可能なレベルに達していれば、テレビ電話の一環として、音声データＡのみを無線通信端末１００Ｂに送信する。したがって、確保可能な帯域幅が変動し易い場合であっても、無線通信端末１００Ｂとテレビ電話通信を行う機会を向上させることができる。
【０１５１】
本実施形態に係る無線通信端末１００Ａによれば、テレビ電話の開始時に、伝送路Ａの伝送品質が、音声データＡと映像データＡの両方を無線通信端末１００Ｂに送信可能なレベルに達していない場合であっても、テレビ電話の開始後に、音声データＡと映像データＡの両方を無線通信端末１００Ｂに送信可能なレベルに達した時点で、映像データＡの送信を開始することが可能であるため、テレビ電話を用いて無線通信端末１００Ｂと通信を行う機会を向上させることができる。
【０１５２】
本実施形態に係る無線通信端末１００Ａによれば、伝送路Ａの伝送品質が、音声データＡと映像データＡの両方を無線通信端末１００Ｂに送信可能なレベルに達していない場合であっても、音声データＡのみであれば無線通信端末１００Ｂへ送信可能なレベルに達している場合、テレビ電話機能部１４０は、撮像部１６０により撮像された映像データＡに基づいて表示部１５０に表示される映像Ａを非表示とすることによって、無線通信端末１００Ａのユーザは、自画像（映像Ａ）が相手端末（無線通信端末１００Ｂ）に送信されていないことを知ることができる。
【０１５３】
本実施形態に係る無線通信端末１００Ａによれば、伝送路Ｂの伝送品質が音声データＢと映像データＢの両方を無線通信端末１００Ｂから受信可能なレベルを満たしており、音声データＢおよび映像データＢの両方を無線通信端末１００Ｂから受信しているにもかかわらず、伝送路Ａの伝送品質が音声データＡと映像データＡの両方を無線通信端末１００Ｂに送信可能なレベルに達しておらず音声データＡのみを無線通信端末１００Ｂに送信している場合、受信した映像データＢに基づいて表示部１５０に表示される映像Ｂを非表示とする。これにより、無線通信端末１００Ｂのユーザは無線通信端末１００Ａ側の映像Ａを見ることができないのに、無線通信端末１００Ａのユーザのみが無線通信端末１００Ｂ側の映像Ｂを見ることができるという不公平感を解消することができる。
【０１５４】
本実施形態に係る無線通信端末１００Ａによれば、伝送路Ｂの伝送品質が音声データＢと映像データＢの両方を無線通信端末１００Ｂから受信可能なレベルに達していない場合、伝送路Ａの伝送品質が音声データＡと映像データＡの両方を無線通信端末１００Ｂに送信可能なレベルに達していても、音声データＡのみを無線通信端末Ｂに送信する。これにより、無線通信端末１００Ａのユーザが無線通信端末１００Ｂ側の映像Ｂを見ることができない場合、無線通信端末１００Ｂのユーザのみが、無線通信端末１００Ａ側の映像Ａを見ることができるという不公平感を解消することができる。
【０１５５】
本実施携帯に係る無線通信端末１００Ａによれば、通話開始時には伝送路Ａの伝送品質が音声データＡと映像データＡの両方を無線通信端末１００Ｂに送信可能なレベルに達しておらず、音声データＡのみを送信することによってテレビ電話を開始した場合でも、通話途中に、伝送路Ａの伝送品質が音声データＡ及び映像データＡの両方を送信可能な状態となれば、映像データＡの送信を開始、即ち、音声データＡ及び映像データＡの両方の伝送路Ａへの送信を開始する。これにより、テレビ電話開始時に帯域が確保できず、音声のみによる通話を開始した場合でも、帯域が確保でき次第、映像と音声とによるテレビ電話を実行できるので、テレビ電話を用いた通信を行う機会を向上させることができる。
【０１５６】
（その他の実施形態）
なお、本実施形態では、通信プロトコルとしてＳＩＰを用いる場合について説明したが、本発明は、かかる場合に限定されることはなく、本実施形態の動作を実現することができる他の通信プロトコルがあれば、当該他の通信プロトコルを用いた場合にも適用可能である。
【０１５７】
また、無線通信端末１００Ａは、伝送路Ａにおいて音声データＡと映像データＡとの無線通信端末１００Ｂへの送信を一度開始した場合、伝送路Ａの伝送品質が悪化しても、音声データＡと映像データＡとの送信を継続するように構成してもよい。
【０１５８】
以上、本発明の一例を説明したが、具体例を例示したに過ぎず、特に本発明を限定するものではなく、各部の具体的構成等は、適宜設計変更可能である。また、各実施形態の構成及び各変更例の構成もそれぞれ組み合わせることが可能である。また、各実施形態及び各変更例の作用及び効果は、本発明から生じる最も好適な作用及び効果を列挙したに過ぎず、本発明による作用及び効果は、各実施形態及び各変更例に記載されたものに限定されるものではない。
【図面の簡単な説明】
【０１５９】
【図１】本発明の実施形態に係る移動体通信システムの全体概略構成図である。
【図２】本発明の実施形態に係る無線通信端末の構成図である。
【図３】本発明の実施形態に係るアップリンクＵＬ１において確保可能な帯域幅（転送速度）の変化を示す図である。
【図４】本発明の実施形態に係る移動体通信システムにおいてアップリンクＵＬ１において音声データＡのみを基地局２００Ａに送信可能な場合の動作例である。
【図５】本発明の実施形態に係る移動体通信システムにおける送信制御処理を示すフローチャートである。
【図６】本発明の実施形態に係る無線通信端末１００Ａ、１００Ｂの表示部において表示される映像を示す図である。
【図７】本発明の実施形態に係る移動体通信システムにおいてダウンリンクＤＬ１において音声データＡのみを基地局２００Ｂから受信可能な場合の動作例である。
【図８】本発明の実施形態に係る無線通信端末１００Ａ、１００Ｂにおいて表示される映像を示す図である。
【図９】本発明の変更例２に係る移動体通信システムにおける送信制御処理を示すフローチャートである。
【図１０】本発明の変更例１に係る無線通信端末１００Ａ、１００Ｂの表示部において表示される映像を示す図である。
【図１１】本発明の変更例３に係る移動体通信システムにおける送信制御処理を示すフローチャートである。
【図１２】本発明の実施形態に係る移動体通信システムにおけるテレビ電話中の動作例である。
【図１３】本発明の実施形態に係る移動体通信システムにおける送信制御処理を示すフローチャートである。
【図１４】本発明の実施形態に係る移動体通信システムにおける送信制御処理を示すフローチャートである。
【図１５】本発明の実施形態に係る移動体通信システムにおけるテレビ電話中の動作例である。
【図１６】本発明の実施形態に係る移動体通信システムにおける送信制御処理を示すフローチャートである。
【図１７】本発明の実施形態に係る移動体通信システムにおける送信制御処理を示すフローチャートである。
【図１８】本発明の実施形態に係る無線通信端末１００Ａ、１００Ｂの表示部において表示される映像を示す図である。
【符号の説明】
【０１６０】
１…無線通信ネットワーク、１００Ａ，１００Ｂ…無線通信端末、１１０…送受信部、１２０…ＱｏＳ制御部、１３０…検出部、１４０…テレビ電話機能部、１５０…表示部、１６０…撮像部、１７０…音声処理部、２００Ａ〜２００Ｂ…基地局、３００…ＳＩＰサーバー
【図１】
2007295517.tif 000003
【図２】
2007295517.tif 000004
【図３】
2007295517.tif 000005
【図４】
2007295517.tif 000006
【図５】
2007295517.tif 000007
【図６】
2007295517.tif 000008
【図７】
2007295517.tif 000009
【図８】
2007295517.tif 000010
【図９】
2007295517.tif 000011
【図１０】
2007295517.tif 000012
【図１１】
2007295517.tif 000013
【図１２】
2007295517.tif 000014
【図１３】
2007295517.tif 000015
【図１４】
2007295517.tif 000016
【図１５】
2007295517.tif 000017
【図１６】
2007295517.tif 000018
【図１７】
2007295517.tif 000019
【図１８】
2007295517.tif 000020